(57)【要約】【課題】高精細化されたプラズマディスプレイパネルであっても、ノイズを増加させることなく画像表示品質を向上させる。【解決手段】入力画像信号の平均輝度レベルを検出するＡＰＬ検出回路と、維持期間においてサブフィールド毎に設定された輝度重みに所定の輝度倍率を乗算した回数の維持パルスを発生させて表示電極対に交互に印加する維持パルス発生回路、維持パルス発生回路を有してプラズマディスプレイパネルを駆動する駆動回路とを備え、ＡＰＬ検出回路において検出された平均輝度レベルに応じて輝度倍率および輝度重みを変更するとともに、ＡＰＬ検出回路において検出された平均輝度レベルがあらかじめ定められた第１のしきい値未満のときには、輝度重みの大きいサブフィールドの輝度重みをより大きくして輝度重みの総和を大きくする。【選択図】図７
2009186807.tif 000002
【特許請求の範囲】
【請求項１】
走査電極と維持電極とからなる表示電極対を有する放電セルを複数備えたプラズマディスプレイパネルと、
入力画像信号の平均輝度レベルを検出するＡＰＬ検出回路と、
初期化期間と書込み期間と維持期間とを有するサブフィールドを１フィールド期間内に複数設け、前記維持期間においてサブフィールド毎に設定された輝度重みに所定の輝度倍率を乗算した回数の維持パルスを発生させて前記表示電極対に交互に印加する維持パルス発生回路を有して前記プラズマディスプレイパネルを駆動する駆動回路とを備え、
前記駆動回路は、前記ＡＰＬ検出回路において検出された平均輝度レベルに応じて前記輝度倍率および前記輝度重みを変更するとともに、前記ＡＰＬ検出回路において検出された前記平均輝度レベルがあらかじめ定められた第１のしきい値未満のときには、輝度重みの大きいサブフィールドの輝度重みをより大きくして輝度重みの総和を大きくすることを特徴とするプラズマディスプレイ装置。
【請求項２】
前記駆動回路は、前記ＡＰＬ検出回路において検出された前記平均輝度レベルがあらかじめ定められた第２のしきい値以上のときには、プラズマディスプレイ装置における消費電力が一定となるように前記輝度倍率および前記輝度重みを制御して１フィールド期間の維持パルスの総数を変更することを特徴とする請求項１に記載のプラズマディスプレイ装置。
【請求項３】
前記駆動回路は、前記ＡＰＬ検出回路において検出された前記平均輝度レベルが前記第１のしきい値未満のときには、１フィールド期間の前記輝度重みの総数に応じて前記輝度倍率を変更し、維持パルスの総数をほぼ一定に保つことを特徴とする請求項１に記載のプラズマディスプレイ装置。
【請求項４】
走査電極と維持電極とからなる表示電極対を有する放電セルを複数備えたプラズマディスプレイパネルを、
初期化期間と書込み期間と維持期間とを有するサブフィールドを１フィールド期間内に複数設け、前記維持期間においてサブフィールド毎に設定された輝度重みに所定の輝度倍率を乗算した回数の維持パルスを発生させて前記表示電極対に交互に印加する維持パルス発生回路を用いて駆動するプラズマディスプレイパネルの駆動方法であって、
入力画像信号の平均輝度レベルを検出し、検出された前記平均輝度レベルに応じて前記輝度倍率および前記輝度重みを変更するとともに、検出された前記平均輝度レベルがあらかじめ定められた第１のしきい値未満のときには、輝度重みの大きいサブフィールドの輝度重みをより大きくして輝度重みの総和を大きくすることを特徴とするプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００４】
各サブフィールドは、初期化期間、書込み期間および維持期間を有する。初期化期間では初期化放電を発生し、続く書込み動作に必要な壁電荷を各電極上に形成するとともに、書込み放電を安定して発生させるためのプライミング粒子（書込み放電を発生させるための励起粒子）を発生させる。
【０００５】
書込み期間では、走査電極に順次走査パルスを印加（以下、この動作を「走査」とも記す）するとともに、データ電極には表示すべき画像信号に対応した書込みパルスを印加する（以下、これらの動作を総称して「書込み」とも記す）。それにより、走査電極とデータ電極との間で選択的に書込み放電を発生させ、選択的を壁電荷を形成する。
【０００６】
続く維持期間では、表示させるべき輝度に応じた所定の回数の維持パルスを走査電極と維持電極とからなる表示電極対に交互に印加する。それにより、書込み放電による壁電荷形成が行われた放電セルで選択的に放電を起こし、その放電セルを発光させる。これにより画像表示を行う。
【０００７】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた駆動方法が開示されている。
【０００８】
具体的には、複数のサブフィールドのうち、１つのサブフィールドの初期化期間においては全ての放電セルに初期化放電を発生させる全セル初期化動作を行い、他のサブフィールドの初期化期間においては直前の維持期間で維持放電を行った放電セルにのみ初期化放電を発生させる選択初期化動作を行う。このように駆動することによって、画像の表示に関係のない発光に依存して変化する黒表示領域の輝度（以下、「黒輝度」と略記する）は全セル初期化動作における微弱発光だけとなり、コントラストの高い画像表示が可能となる（例えば、特許文献１参照）。
【０００９】
このようなパネルを組み込んだプラズマディスプレイ装置では、その消費電力を削減するため、様々な消費電力削減技術が提案されている。
【００１０】
消費電力を削減する技術の一つとして、パネルが容量性の負荷であることに着目し、インダクタを構成要素に含む共振回路によってそのインダクタとパネルの負荷容量とをＬＣ共振させ、パネルの負荷容量に蓄えられた電力を電力回収用のコンデンサに回収し、回収した電力をパネルの駆動に再利用する、いわゆる電力回収回路が開示されている（例えば、特許文献２参照）。
【００１１】
この技術では、例えば、維持期間における走査電極および維持電極への維持パルス電圧の印加にＰＤＰから回収した電力を再利用し、維持期間に消費される電力を削減することで、消費電力の削減を実現することができる。
【００１２】
一方、ＰＤＰでは、消費電力の削減と同様に、画像を見やすく表示することも重要であり、画像を明るく表示して見やすくする技術について様々な提案がなされている。
【００１３】
画像を明るく表示する技術の一つとして、維持期間における維持パルスのパルス数を制御する技術が開示されている。パネルにおいては、維持期間において１回の放電によって生じる１回の発光の明るさ（発光輝度）はほぼ同じであるが、その発光期間が短いため、１フィールド期間における発光の回数が多い表示セルほど明るく発光しているように見える。そして、この技術では、この原理を利用し、例えば、１フィールドを第１サブフィールドから第８サブフィールド（以下、第１サブフィールドを「第１ＳＦ」、第２サブフィールドを「第２ＳＦ」というように略記する）の８つのサブフィールドで構成し、第１ＳＦの維持パルス数を１、第２ＳＦの維持パルス数を２、以下第３ＳＦから第８ＳＦまでの維持パルス数をそれぞれ４、８、１６、３２、６４、１２８としたときに、第１ＳＦから第８ＳＦまでの維持パルス数をそれぞれ２倍の２、４、８、１６、３２、６４、１２８、２５６にした２倍モード、第１ＳＦから第８ＳＦまでの維持パルス数をそれぞれ３倍にした３倍モード、同様に４倍にした４倍モードと、サブフィールドの維持パルス数を１倍から２倍、３倍、４倍と変化させる（以下、この維持パルス数の倍率のことを「輝度倍率」と略記する）ことによって維持期間における発光の回数を制御して画面の明るさを調整する。この技術を用いれば、画像信号の平均輝度レベル（ＡＰＬ：Ａｖｅｒａｇｅ  Ｐｉｃｔｕｒｅ  Ｌｅｖｅｌ）を検出し、検出されたＡＰＬにもとづいて輝度倍率を切換え、ＡＰＬが低い場合に輝度倍率を上げることで、暗い画像をより明るく表示することが可能となる（例えば、特許文献３参照）。
【００１４】
また、維持期間における維持パルスのパルス数を整数倍のみならず小数点以下の数値の倍数についても行えるようにし、明るさの変化をより滑らかにした技術も開示されている（例えば、特許文献４参照）。
【特許文献１】特開２０００−２４２２２４号公報
【特許文献２】特公平７−１０９５４２号公報
【特許文献３】特開平８−２８６６３６号公報
【特許文献４】特開平１１−２３１８３３号公報
【発明の開示】
【発明が解決しようとする課題】
【００１５】
近年、パネルの大画面化、高精細化にともない、プラズマディスプレイ装置におけるさらなる表示品質の向上が望まれている。
【００１６】
一方、パネルの高精細化は、走査しなければならない走査電極数を増加させるため、１回の書込み期間に要する時間を増大させ、サブフィールド期間の長さを増大させる。例えば、サブフィールド期間の長さが増大し、１フィールド期間を構成するサブフィールド数の上限が抑えられると、画像の表示に用いることができる階調が制限されて階調が荒くなり、ノイズを増加させる恐れがある。
【００１７】
本発明はこのような課題に鑑みなされたものであり、高精細化されたパネルであっても、ノイズを増加させることなく画像表示品質を向上させることができるプラズマディスプレイ装置およびパネルの駆動方法を提供することを目的とする。
【課題を解決するための手段】
【００１８】
本発明のプラズマディスプレイ装置は、走査電極と維持電極とからなる表示電極対を有する放電セルを複数備えたパネルと、入力画像信号の平均輝度レベルを検出するＡＰＬ検出回路と、初期化期間と書込み期間と維持期間とを有するサブフィールドを１フィールド期間内に複数設け、維持期間においてサブフィールド毎に設定された輝度重みに所定の輝度倍率を乗算した回数の維持パルスを発生させて表示電極対に交互に印加する維持パルス発生回路を有してパネルを駆動する駆動回路とを備え、駆動回路は、ＡＰＬ検出回路において検出された平均輝度レベルに応じて輝度倍率および輝度重みを変更するとともに、ＡＰＬ検出回路において検出された平均輝度レベルがあらかじめ定められた第１のしきい値未満のときには、輝度重みの大きいサブフィールドの輝度重みをより大きくして輝度重みの総和を大きくすることを特徴とする。
【００１９】
これにより、ＡＰＬの低い暗い画像を表示する際に、ノイズを増加させることなく階調値の低い領域を滑らかに表示することが可能となり、画像表示品質の向上を実現することができる。
【００２０】
また、このプラズマディスプレイ装置において、駆動回路は、ＡＰＬ検出回路において検出された平均輝度レベルがあらかじめ定められた第２のしきい値以上のときには、プラズマディスプレイ装置における消費電力が一定となるように輝度倍率および輝度重みを制御して１フィールド期間の維持パルスの総数を変更することを特徴とする。これにより、ＡＰＬの高い画像を表示するときの消費電力を一定に抑えつつ、ダイナミックで迫力のある画像を表示することが可能となる。
【００２１】
また、このプラズマディスプレイ装置において、駆動回路は、ＡＰＬ検出回路において検出された平均輝度レベルがあらかじめ定められた第１のしきい値未満のときには、１フィールド期間の輝度重みの総数に応じて輝度倍率を変更し、維持パルスの総数をほぼ一定に保つように構成してもよい。これにより、輝度重みの総数の増加に応じて輝度倍率を減少させ、維持パルスの総数をほぼ一定に保つことができるので、維持期間に割り当てることができる時間が制限されているような高精細なパネルを駆動するときに望ましい。
【００２２】
また、本発明のパネルの駆動方法は、走査電極と維持電極とからなる表示電極対を有する放電セルを複数備えたパネルを、初期化期間と書込み期間と維持期間とを有するサブフィールドを１フィールド期間内に複数設け、維持期間においてサブフィールド毎に設定された輝度重みに所定の輝度倍率を乗算した回数の維持パルスを発生させて表示電極対に交互に印加する維持パルス発生回路を用いて駆動するパネルの駆動方法であって、入力画像信号の平均輝度レベルを検出し、検出された平均輝度レベルに応じて輝度倍率および輝度重みを変更するとともに、検出された平均輝度レベルがあらかじめ定められた第１のしきい値未満のときには、輝度重みの大きいサブフィールドの輝度重みをより大きくして輝度重みの総和を大きくすることを特徴とする。
【００２３】
これにより、ＡＰＬの低い暗い画像を表示する際に、ノイズを増加させることなく階調値の低い領域を滑らかに表示することが可能となり、画像表示品質の向上を実現することができる。
【発明の効果】
【００２４】
本発明によれば、高精細化されたパネルであっても、ノイズを増加させることなく画像表示品質を向上させることができるプラズマディスプレイ装置およびパネルの駆動方法を提供することが可能となる。
【発明を実施するための最良の形態】
【００２５】
以下、本発明の実施の形態におけるプラズマディスプレイ装置について、図面を用いて説明する。
【００２６】
（実施の形態）
図１は、本発明の一実施の形態におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２７】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２８】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２９】
これら前面板２１と背面板３１とは、微小な放電空間を挟んで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００３０】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００３１】
図２は、本発明の一実施の形態におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００３２】
次に、パネル１０を駆動するための駆動電圧波形とその動作の概要について説明する。本実施の形態におけるプラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは、初期化期間、書込み期間および維持期間を有する。
【００３３】
各サブフィールドにおいて、初期化期間では初期化放電を発生し、続く書込み放電に必要な壁電荷を各電極上に形成する。加えて、放電遅れを小さくし書込み放電を安定して発生させるためのプライミング粒子（放電のための起爆剤＝励起粒子）を発生させるという働きを持つ。このときの初期化動作には、全ての放電セルで初期化放電を発生させる全セル初期化動作と、直前のサブフィールドで維持放電を行った放電セルだけで選択的に初期化放電を発生させる選択初期化動作とがある。
【００３４】
書込み期間では、後に続く維持期間において発光させるべき放電セルで選択的に書込み放電を発生し壁電荷を形成する。そして維持期間では、輝度重みに比例した数の維持パルスを表示電極対２４に交互に印加して、書込み放電を発生した放電セルで維持放電を発生させて発光させる。このときの比例定数が「輝度倍率」である。
【００３５】
本実施の形態では、１フィールドを９のサブフィールド（第１ＳＦ、第２ＳＦ、・・・、第９ＳＦ）で構成し、各サブフィールドはそれぞれ、例えば（１、２、４、７、１３、２４、４１、６４、１００）の輝度重みを持つものとする。そして、第１ＳＦの初期化期間では全セル初期化動作を行い、第２ＳＦ〜第９ＳＦの初期化期間では選択初期化動作を行うものとする。これにより、画像の表示に関係のない発光は第１ＳＦにおける全セル初期化動作の放電にともなう発光のみとなり、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極対２４のそれぞれに印加する。
【００３６】
なお、上述した各サブフィールドの輝度重みの値は、本実施の形態における一実施例を示したものに過ぎない。本実施の形態では、画像信号の平均輝度レベル（以下、「ＡＰＬ」と略記する）を検出し、検出したＡＰＬにもとづき輝度重みの値を変更する構成としている。この詳細については後述する。
【００３７】
図３は、本発明の一実施の形態におけるパネル１０の各電極に印加する駆動電圧波形図である。図３には、２つのサブフィールドの駆動電圧波形、すなわち全セル初期化動作を行うサブフィールド（以下、「全セル初期化サブフィールド」と呼称する）の第１サブフィールド（第１ＳＦ）と、選択初期化動作を行うサブフィールド（以下、「選択初期化サブフィールド」と呼称する）の第２サブフィールド（第２ＳＦ）とを示しているが、他のサブフィールドにおける駆動電圧波形もほぼ同様である。また、以下における走査電極ＳＣｉ、維持電極ＳＵｉ、データ電極Ｄｋは、各電極の中から画像データにもとづき選択された電極を表す。
【００３８】
まず、全セル初期化サブフィールドである第１ＳＦについて説明する。
【００３９】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、維持電極ＳＵ１〜維持電極ＳＵｎに対して放電開始電圧以下の電圧Ｖｉ１から、放電開始電圧を超える電圧Ｖｉ２に向かって緩やかに上昇する傾斜波形電圧（以下、「上りランプ波形電圧」と呼称する）を印加する。
【００４０】
なお、本実施の形態では、この上りランプ波形電圧を約１．３Ｖ／μｓｅｃの勾配にして発生させている。
【００４１】
この上りランプ波形電圧が上昇する間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００４２】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える電圧Ｖｉ４に向かって緩やかに下降する傾斜波形電圧（以下、「下りランプ波形電圧」と呼称する）を印加する。この間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が持続して起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００４３】
なお、図３の第２ＳＦの初期化期間に示したように、初期化期間の前半部を省略した駆動電圧波形を各電極に印加してもよい。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、０（Ｖ））から電圧Ｖｉ４に向かって緩やかに下降する下りランプ波形電圧を印加する。これにより前のサブフィールドの維持期間で維持放電を起こした放電セルでは微弱な初期化放電が発生し、走査電極ＳＣｉ上部および維持電極ＳＵｉ上部の壁電圧が弱められる。また直前の維持放電によってデータ電極Ｄｋ（ｋ＝１〜ｍ）上部に十分な正の壁電圧が蓄積されている放電セルでは、この壁電圧の過剰な部分が放電され書込み動作に適した壁電圧に調整される。一方、前のサブフィールドで維持放電を起こさなかった放電セルについては放電することはなく、前のサブフィールドの初期化期間終了時における壁電荷がそのまま保たれる。このように前半部を省略した初期化動作は、直前のサブフィールドの維持期間で維持動作を行った放電セルに対して初期化放電を行う選択初期化動作となる。
【００４４】
続く書込み期間では、走査電極ＳＣ１〜走査電極ＳＣｎに対しては順次走査パルス電圧を印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【００４５】
書込み期間では、まず維持電極ＳＵ１〜維持電極ＳＵｎに電圧Ｖｅ２を、走査電極ＳＣ１〜走査電極ＳＣｎに電圧Ｖｃを印加する。
【００４６】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（Ｖｅ２−Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４７】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００４８】
続く維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４９】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００５０】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００５１】
そして、維持期間の最後には、走査電極ＳＣ１〜走査電極ＳＣｎに、ベース電位となる０（Ｖ）から電圧Ｖｅｒｓに向かって緩やかに（例えば、約１０Ｖ／μｓｅｃの勾配で）上昇する傾斜波形電圧（以下、「消去ランプ波形電圧」と呼称する）を印加する。これにより、微弱な放電を持続して発生させ、データ電極Ｄｋ上の正の壁電圧を残したまま、走査電極ＳＣｉおよび維持電極ＳＵｉ上の壁電圧の一部または全部を消去している。この消去ランプ波形電圧によって発生させる維持期間の最後の放電を「消去放電」と呼称する。
【００５２】
続くサブフィールドの動作は、維持期間の維持パルスの数を除いて上述の動作とほぼ同様であるため説明を省略する。以上が、本実施の形態におけるパネル１０の各電極に印加する駆動電圧波形の概要である。
【００５３】
次に、本実施の形態におけるプラズマディスプレイ装置の構成について説明する。図４は、本発明の一実施の形態におけるプラズマディスプレイ装置の回路ブロック図である。プラズマディスプレイ装置１は、パネル１０と、パネル１０を駆動する駆動回路と、各回路ブロックに必要な電力を供給する電源回路（図示せず）とを有する。駆動回路として、画像信号処理回路４１、データ電極駆動回路４２、走査電極駆動回路４３、維持電極駆動回路４４、タイミング発生回路４５を備えている。
【００５４】
画像信号処理回路４１は、入力された画像信号ｓｉｇを放電セルにおけるサブフィールド毎の発光・非発光を示す画像データに変換する。
【００５５】
タイミング発生回路４５は、水平同期信号Ｈおよび垂直同期信号Ｖにもとづき各回路ブロックの動作を制御する各種のタイミング信号を発生し、それぞれの回路ブロックへ供給する。
【００５６】
走査電極駆動回路４３は、初期化期間において走査電極ＳＣ１〜走査電極ＳＣｎに印加する初期化波形電圧を発生するための初期化波形発生回路（図示せず）、維持期間において走査電極ＳＣ１〜走査電極ＳＣｎに印加する維持パルスを発生するための維持パルス発生回路７０、複数の走査ＩＣを備え書込み期間において走査電極ＳＣ１〜走査電極ＳＣｎに印加する走査パルス電圧を発生するための走査パルス発生回路（図示せず）を有する。そして、タイミング信号にもとづいて各走査電極ＳＣ１〜走査電極ＳＣｎをそれぞれ駆動する。
【００５７】
データ電極駆動回路４２は、画像信号処理回路４１から出力されるサブフィールドデータ（画像信号を、各データ電極Ｄ１〜データ電極Ｄｍの、各サブフィールドにおける点灯／非点灯を表す信号に変換したデータ）、およびタイミング信号にもとづいて各データ電極Ｄ１〜データ電極Ｄｍを駆動する。
【００５８】
維持電極駆動回路４４は、維持パルス発生回路８０および電圧Ｖｅ１、電圧Ｖｅ２を発生するための回路（図示せず）を備え、タイミング信号にもとづいて維持電極ＳＵ１〜維持電極ＳＵｎを駆動する。
【００５９】
図５は、本発明の一実施の形態における画像信号処理回路４１の回路ブロック図である。なお、図５には、本実施の形態における輝度倍率の制御および輝度重みの制御に関係する回路ブロックを示し、それ以外の回路ブロックは省略している。
【００６０】
画像信号処理回路４１は、Ａ／Ｄ変換回路６０と、ガンマ補正回路６１と、ＡＰＬ検出回路６２と、誤差拡散回路６３と、乗算回路６４と、サブフィールドデータ作成回路６５と、メモリ６６と、輝度倍率設定回路６７とを有する。
【００６１】
Ａ／Ｄ変換回路６０は、一般に知られているＡ／Ｄ変換（Ａｎａｌｏｇ  Ｄｉｇｉｔａｌ変換）を行い、画像信号処理回路４１に入力されるアナログの画像信号を、例えば１０ｂｉｔのデジタルの画像信号に変換する。
【００６２】
ガンマ補正回路６１は、Ａ／Ｄ変換回路６０から出力されるデジタルの画像信号に、テレビジョン信号の処理において一般に行われているガンマ補正を施す。ガンマ補正では、画像信号にガンマカーブと呼ばれる階調値に応じて変化する補正値を乗算する処理を行う。このとき、デジタルの画像信号はガンマ補正による乗算処理により、補正前の画像信号（例えば、１０ｂｉｔのデータ）よりも大きいデジタルデータ（例えば、１６ｂｉｔのデータ）に拡張されてガンマ補正回路６１から出力される。
【００６３】
ＡＰＬ検出回路６２は、画像信号のうちの輝度信号を１フィールド期間（または、１フレーム期間）にわたって累積加算するといった一般に知られた算出方法により、画像信号の平均的な明るさ（ＡＰＬ）を検出する。検出したＡＰＬは、例えば０％から１００％までの数値に正規化して出力する構成としてもよい。
【００６４】
誤差拡散回路６３は、画像信号の階調値と表示用の階調値との間に差があるときに、その差を周囲の画素に拡散させることで、表示される階調値を画像信号の階調値に近づけるといった、一般に知られた誤差拡散処理を行う。なお、誤差拡散回路６３では、ガンマ補正回路６１から出力される画像信号（例えば、１６ｂｉｔのデータ）を階調数を制限した画像信号（例えば、９ｂｉｔのデータ）に変換して出力する。
【００６５】
メモリ６６には、１フィールド期間における各サブフィールドの輝度重みの組み合わせが異なる複数のサブフィールド情報（以下、「サブフィールド構成」と呼称する）とサブフィールド構成に応じた複数のコーディングデータとがあらかじめ記憶されている。コーディングデータとは、どの階調値を画像表示に用いるか、その階調値を表示するために点灯させるサブフィールドと非点灯のサブフィールドとをどう組み合わせるかをあらかじめ定めたデータである。すなわち、１つのサブフィールド構成の下には、そのサブフィールド構成にもとづきあらかじめ定められた複数のコーディングデータがあり、そのような複数のコーディングデータが、毎各サブフィールド構成にそれぞれ設定されてメモリ６６に記憶されている。そして、メモリ６６は、サブフィールドデータ作成回路６５からの制御によりサブフィールドデータ作成回路６５へ内部データを出力する。
【００６６】
なお、本実施の形態においては、メモリ６６に記憶された複数のサブフィールド構成の中には、１フィールド期間における輝度重みの総和が異なるサブフィールド構成が含まれている。
【００６７】
サブフィールドデータ作成回路６５は、ＡＰＬ検出回路６２において検出されるＡＰＬに応じて１つのサブフィールド構成を選択し、そのサブフィールド構成の下に作成された複数のコーディングデータの中から、画像信号の階調値に応じたコーディングデータを選択して、メモリ６６から読み出す。このようにして読み出したデータを、サブフィールドデータ（各データ電極Ｄ１〜データ電極Ｄｍの、各サブフィールドにおける点灯／非点灯を表す信号）としてデータ電極駆動回路４２に出力する。また、選択されたサブフィールド構成における各サブフィールドの輝度重み情報をタイミング発生回路４５に出力する。
【００６８】
なお、本実施の形態では、上述したように、複数のサブフィールド構成の中に、１フィールド期間における輝度重みの総和が異なるサブフィールド構成を含む。そのため、画像信号を、輝度重みの総和に応じたデジタルデータに変更しなければならない。そこで、乗算回路６４では、サブフィールドデータ作成回路６５で選択されるサブフィールド構成の輝度重みの総和にもとづき、画像信号の階調数を変更する処理を行う。例えば、サブフィールドデータ作成回路６５で選択されるサブフィールド構成の輝度重みの総和が２５６になるときには、乗算回路６４は、誤差拡散回路６３から出力される画像信号（例えば９ｂｉｔ、５１２階調のデジタルデータ）を２５６階調のデジタルデータに変更し、輝度重みの総和が３２２になるときには誤差拡散回路６３から出力される画像信号を３２２階調のデジタルデータに変更する。
【００６９】
そして、輝度倍率設定回路６７は、ＡＰＬ検出回路６２において検出されるＡＰＬに応じて輝度倍率を設定し、タイミング発生回路４５に出力する。このように、本実施の形態では、ＡＰＬ検出回路６２において検出されるＡＰＬにもとづき、サブフィールドデータ作成回路６５ではサブフィールド構成（ここでは、各サブフィールドの輝度重み）を変更し、輝度倍率設定回路６７では輝度倍率を変更する。
【００７０】
そして、データ電極駆動回路４２では、サブフィールドデータ作成回路６５から出力されるサブフィールドデータにもとづき書込み動作を行い、タイミング発生回路４５では、サブフィールドデータ作成回路６５から出力される輝度重み情報および輝度倍率設定回路６７から出力される輝度倍率にもとづき各サブフィールドの維持期間における維持パルスの発生数を制御する。
【００７１】
次に、本実施の形態におけるＡＰＬ検出回路６２において検出されるＡＰＬと、サブフィールドデータ作成回路６５において選択されるサブフィールド構成および輝度倍率設定回路６７において設定される輝度倍率の関係について説明する。まず、１フィールド期間において発生させる維持パルスの総数とＡＰＬとの関係について説明する。なお、以下の説明において用いるＡＰＬは、ＡＰＬ検出回路６２において検出されるＡＰＬであるものとする。
【００７２】
図６は、本発明の一実施の形態におけるＡＰＬと１フィールド期間に発生させる維持パルスの総数および消費電力との関係の一例を示す特性図である。なお、図６（ａ）は、本実施の形態におけるＡＰＬと１フィールド期間において発生させる維持パルスの総数との関係の一例を示す特性図であり、横軸はＡＰＬ検出回路６２において検出されるＡＰＬを、縦軸は１フィールド期間において発生させる維持パルスの総数（以下、単に「維持パルスの総数」と記す）を表す。また、図６（ｂ）は、本実施の形態におけるＡＰＬと消費電力との関係の一例を示す特性図であり、横軸はＡＰＬ検出回路６２において検出されるＡＰＬを、縦軸はプラズマディスプレイ装置１における消費電力を表す。
【００７３】
本実施の形態では、図６（ａ）に示すように、ＡＰＬが第２のしきい値である２４％未満の画像を表示するときには維持パルスの総数が約９１８になるように、ＡＰＬが１００％の画像を表示するときには維持パルスの総数が２３９になるように、また、ＡＰＬが第２のしきい値である２４％以上の画像を表示するときには、ＡＰＬ２４％からＡＰＬ１００％まで、維持パルスの総数が９１８から２３９へと徐々に少なくなるように、ＡＰＬに応じてサブフィールド構成および輝度倍率を変更している。このとき、本実施の形態では、ＡＰＬ２４％からＡＰＬ１００％までは、図６（ｂ）に示すように消費電力が一定となるように維持パルスの総数を制御している。なお、本実施の形態では、このときの変更を１２０段階に分けて行っている。
【００７４】
このように、表示する画像のＡＰＬが低いときに維持パルスの総数を大きくしているのは、ＡＰＬが低いときに発生させる維持パルスの総数を大きくすることで、暗い画像をより明るく表示することが可能となるからである。ＡＰＬが低い画像では、全体的に輝度値が低くかったり、また、全体的に輝度値が低い中に一部輝度値の高い領域が存在するような画像であることが多いため、輝度を上げることで暗い部分と明るい部分との輝度差をさらに大きくすることができ、よりダイナミックな迫力のある画像を表示することが可能となる。
【００７５】
一方、ＡＰＬが高い画像は全体的に輝度値の高い画像となるため、仮に維持パルスの総数を大きくして輝度を上げても全体的に明るくなるだけで画像のダイナミックさはそれほど大きくは変わらない。さらに、ＡＰＬが高い画像で輝度をさらに上げるとその分消費電力が増大するといった問題も生じる。そこで、表示する画像のＡＰＬが高いときには維持パルスの総数を少なくし、消費電力の低減を優先した駆動を行う。
【００７６】
このように、ＡＰＬに応じて維持パルスの総数を変化させる構成とすることで、消費電力を抑えつつ、ダイナミックで迫力のある画像を表示することが可能となる。
【００７７】
ここで、パネル１０が高精細化され、走査しなければならない走査電極数が増加すると、１回の書込み期間に要する時間が増大し、サブフィールド期間の長さが増大することがある。サブフィールド期間の長さが増大し、１フィールド期間を構成するサブフィールドの数が制限されると、画像の表示に用いることができる階調値が制限され、表示画像のノイズを増加させる恐れがある。例えば、１フィールド期間を９のサブフィールドで構成しなければならないような場合には、１フィールド期間を１２のサブフィールドで構成したときと比べて、表示画像のノイズが増加する恐れがある。
【００７８】
一方、本発明者は、ＡＰＬの高い明るい画像では、輝度重みの総和に対する輝度重みの大きいサブフィールドの輝度重みの割合を抑えることで、階調値の高い領域において階調値の変化が荒くなるのを抑え、ノイズを低減できることを確認した。また、ＡＰＬの低い暗い画像では、輝度重みの総和に対する輝度重みの小さいサブフィールドの輝度重みの割合を小さくすることで、階調値の低い領域を滑らかに表示できることを確認した。このように、ＡＰＬに応じてサブフィールド構成を変更することで、画像表示品質を向上させることができることを見出した。
【００７９】
そこで、本実施の形態では、ＡＰＬに応じてサブフィールド構成を変更し、ＡＰＬの高い明るい画像では、輝度重みの総和に対する輝度重みの大きいサブフィールドの輝度重みの割合を抑え、ＡＰＬの低い画像を表示するときには輝度重みの総和を大きくして輝度重みの総和に対する輝度重みの小さいサブフィールドの輝度重みの割合を小さくする構成とする。
【００８０】
図７は、本発明の一実施の形態におけるＡＰＬと輝度重みおよび１フィールド期間における輝度重みの総和との関係の一例を示す特性図である。なお、図７（ａ）は、本実施の形態におけるＡＰＬと輝度重みとの関係の一例を示す特性図であり、横軸はＡＰＬ検出回路６２において検出されるＡＰＬを、縦軸は輝度倍率を表す。また、図７（ｂ）は、本実施の形態におけるＡＰＬと１フィールド期間における輝度重みの総和との関係の一例を示す特性図であり、横軸はＡＰＬ検出回路６２において検出されるＡＰＬを、縦軸は１フィールド期間における輝度重みの総和（以下、単に「輝度重みの総和」と記す）を表す。また、図７（ｃ）は、ＡＰＬと、輝度倍率、輝度重みの総和、維持パルスの総数との関係をまとめた表である。また、図８は、本発明の一実施の形態における各ＡＰＬにおける各サブフィールの輝度重みの配分の一例を示す図である。
【００８１】
本実施の形態では、ＡＰＬの高い画像を表示するときには、輝度重みの総和に対する輝度重みの大きいサブフィールドの輝度重みの割合が抑えられるように、各サブフィールドの輝度重みを設定する。具体的には、図７および図８に示すように、ＡＰＬ２４％以上では各サブフィールド（第１ＳＦから第９ＳＦ）の輝度重みを（１、２、４、７、１３、２４、４１、６４、１００）とし輝度重みの総和を２５６にするとともに輝度重みの大きいサブフィールド、例えば、第８ＳＦ、第９ＳＦの輝度重みを（６４、１００）と比較的小さい数値に抑える。
【００８２】
これにより、階調値の高い領域において階調値の変化が荒くなるのを抑えＡＰＬの高い画像を表示するときのノイズを低減することができる。なお、本実施の形態では、ＡＰＬの高い画像を表示するときには、ＡＰＬに応じて輝度倍率を３．５６１から０．９３へと徐々に小さくして維持パルスの総数を９０８から２３９へと減少させ、図６に示したようにＡＰＬ２４％以上での消費電力が一定となるように制御している。
【００８３】
また、ＡＰＬの低い画像を表示するときには、輝度重みの総和に対する輝度重みの小さいサブフィールドの輝度重みの割合がより小さくなるように、ＡＰＬに応じてサブフィールド構成を切換える。具体的には、図７および図８に示すように、ＡＰＬが第１のしきい値である１７％未満のときには輝度重みの総数を２５９から３２２へと徐々に増加させる。このとき、輝度重みの小さいサブフィールド（ここでは、第１ＳＦから第５ＳＦ）の輝度重みは変化させず、輝度重みの大きいサブフィールド（ここでは、第８ＳＦ、第９ＳＦ）の輝度重みをより多く増加させるように各輝度重みを設定する。例えば、第１ＳＦから第５ＳＦの輝度重みは、（１、２、４、７、１３）のままで一定とし、第８ＳＦおよび第９ＳＦの輝度重みは、それぞれ（６５から８２）、（１０２から１４２）へと増加させる。
【００８４】
このように、輝度重みの総和に対する輝度重みの小さいサブフィールドの輝度重みの割合を相対的に小さくすることで、階調値の低い領域における階調値の変化を相対的に細かくし、ＡＰＬの低い画像で表示画像の大部分を占める階調値の低い領域をより滑らかに表示することが可能となる。また、ＡＰＬの低い暗い画像では、階調値の高い領域のノイズは比較的目立ちにくいため、輝度重みの大きいサブフィールドの輝度重みを大きくしても、表示画像に与える影響は非常に小さく、問題にはならない。したがって、輝度重みの大きいサブフィールドの輝度重みをより大きくして輝度重みの総和を大きくすることで、ノイズを増加させることなく階調値の低い領域を滑らかに表示することが可能となる。
【００８５】
なお、図７、図８には、ＡＰＬ１０％未満の領域では各サブフィールド（第１ＳＦから第９ＳＦ）の輝度重みを（１、２、４、７、１３、２５、４６、８２、１４２）にして輝度重みの総和を３２２で一定にし、また、ＡＰＬ１７％以上ＡＰＬ２４％未満の領域では各サブフィールド（第１ＳＦから第９ＳＦ）の輝度重みを（１、２、４、７、１３、２４、４１、６４、１００）にして輝度重みの総和を２５６で一定にした例を示しているが、これは単なる一設定例に過ぎない。また、ここに示した各数値や１フィールドを構成するサブフィールドの数等も単なる一例を挙げたものに過ぎず、何らこれらの数値に限定されるものではない。これらの数値や各設定等は、パネルの特性やプラズマディスプレイ装置の仕様等に応じて最適に設定すればよい。
【００８６】
なお、本実施の形態では、ＡＰＬの低い画像を表示するときに、輝度重みの総数を増加させているが、輝度倍率を固定にすると、輝度重みの総数に応じて維持パルスの総数が増加し、維持期間の時間が増加する。したがって、維持期間に割り当てることができる時間が制限されているようなときには、輝度重みの総数の増加に応じて輝度倍率を減少させ、維持パルスの総数をほぼ一定に保つような構成とすることが望ましい。本実施の形態における図７、図８には、ＡＰＬが第１のしきい値である２４％未満の領域で、輝度重みの総数に応じて輝度倍率を３．６０から２．８６２へと減少させ、維持パルスの総数を約９１８に保つ構成を示している。しかし、この構成も単なる一例に過ぎず、何らこの構成に限定されるものではない。
【００８７】
以上説明したように、本実施の形態によれば、ＡＰＬに応じてサブフィールド構成を変更し、ＡＰＬの高い明るい画像では、輝度重みの総和に対する輝度重みの大きいサブフィールドの輝度重みの割合を抑え、ＡＰＬの低い画像を表示するときには輝度重みの大きいサブフィールドの輝度重みをより大きくして輝度重みの総和を大きくし、輝度重みの総和に対する輝度重みの小さいサブフィールドの輝度重みの割合を小さくする構成とする。これにより、ＡＰＬの高い明るい画像では、階調値の高い領域において階調値の変化が荒くなるのを抑えてノイズを低減し、ＡＰＬの低い暗い画像では、ノイズを増加させることなく階調値の低い領域を滑らかに表示することが可能となるので、ノイズを増加させることなく画像表示品質を向上させることができる。また、ＡＰＬに応じて維持パルスの総数を変化させる構成とすることで、ＡＰＬの高い画像を表示するときの消費電力を一定に抑えつつ、ダイナミックで迫力のある画像を表示することが可能となる。
【００８８】
なお、本発明における実施の形態は、走査電極ＳＣ１〜走査電極ＳＣｎを第１の走査電極群と第２の走査電極群とに分割し、書込み期間を、第１の走査電極群に属する走査電極のそれぞれに走査パルスを印加する第１の書込み期間と、第２の走査電極群に属する走査電極のそれぞれに走査パルスを印加する第２の書込み期間とで構成する、いわゆる２相駆動によるパネルの駆動方法にも適用させることができ、上述と同様の効果を得ることができる。
【００８９】
なお、本発明における実施の形態は、走査電極と走査電極とが隣り合い、維持電極と維持電極とが隣り合う電極構造、すなわち前面板２１に設けられる電極の配列が、「・・・走査電極、走査電極、維持電極、維持電極、走査電極、走査電極、・・・」となる電極構造（以下、「ＡＢＢＡ電極構造」と呼称する）のパネルにおいても、有効である。
【００９０】
なお、本実施の形態において示した具体的な各数値は、表示電極対数１０８０の５０インチのパネルの特性にもとづき設定したものであって、単に実施の形態の一例を示したものに過ぎない。本発明はこれらの数値に何ら限定されるものではなく、パネルの特性やプラズマディスプレイ装置の仕様等に合わせて最適に設定することが望ましい。また、これらの各数値は、上述した効果を得られる範囲でのばらつきを許容するものとする。
【産業上の利用可能性】
【００９１】
本発明は、高精細化されたパネルであっても、ノイズを増加させることなく画像表示品質を向上させることができるので、プラズマディスプレイ装置およびパネルの駆動方法として有用である。
【図面の簡単な説明】
【００９２】
【図１】本発明の一実施の形態におけるパネルの構造を示す分解斜視図
【図２】同パネルの電極配列図
【図３】同パネルの各電極に印加する駆動電圧波形図
【図４】本発明の一実施の形態におけるプラズマディスプレイ装置の回路ブロック図
【図５】本発明の一実施の形態における画像信号処理回路の回路ブロック図
【図６】本発明の一実施の形態におけるＡＰＬと１フィールド期間に発生させる維持パルスの総数および消費電力との関係の一例を示す特性図
【図７】本発明の一実施の形態におけるＡＰＬと輝度重みおよび１フィールド期間における輝度重みの総和との関係の一例を示す特性図
【図８】本発明の一実施の形態における各ＡＰＬにおける各サブフィールの輝度重みの配分の一例を示す図
【符号の説明】
【００９３】
１    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４    維持電極駆動回路
４５    タイミング発生回路
６０    Ａ／Ｄ変換回路
６１    ガンマ補正回路
６２    ＡＰＬ検出回路
６３    誤差拡散回路
６４    乗算回路
６５    サブフィールドデータ作成回路
６６    メモリ
６７    輝度倍率設定回路
７０，８０    維持パルス発生回路
【図１】
2009186807.tif 000003
【図２】
2009186807.tif 000004
【図３】
2009186807.tif 000005
【図４】
2009186807.tif 000006
【図５】
2009186807.tif 000007
【図６】
2009186807.tif 000008
【図７】
2009186807.tif 000009
【図８】
2009186807.tif 000010